(57)【特許請求の範囲】
【請求項１】
本体の一端の端部の上下中間に、端面方向に開口する導入溝を形成し、その上下の端部に、一方の係合壁が互いに１８０度齟齬して端面方向に突出形成し、かつその内面に、側方に開口する係合溝を夫々設けてなる本体の片側を保持する自転車用点滅スポークリフレクターの取付け装置。
【請求項２】
本体の端部の端面または側面に開口し、スポークを嵌合する係合溝を上下に形成し、その係合溝の一方の側壁面を構成する側壁部を端部方向に延設形成し、その側面を前記係合溝を閉鎖する押え片の係合溝閉鎖面部と当接する閉鎖支承面部に形成してなる本体の片側を保持する自転車用点滅スポークリフレクターの取付け装置。
【請求項３】
閉鎖支承面部の内側で、かつ係合溝の中間に押え片を取付ける取付台面部を形成し、この取付台面部に貫通する取付孔と、押え片に貫通する取付孔にネジを挿通し、ネジの先端にナットを螺合して押え片を本体の取付台面部に当てて締め付け、押え片に形成された前記係合溝閉鎖面部を前記本体の閉鎖支承面部に連接して、対応面で係合溝を閉鎖し、嵌合したスポークと圧接し、全体を固着してなる本体の片側を保持する自転車用点滅スポークリフレクターの取付け装置。
【請求項４】
本体の端部の一側面に、その一側支承面と天井支承面と中心側支承面とから構成される三方囲ぎょう壁に、一側面と上面と基端背面を連接するコ字型挟持駒の基端内側にスポークを嵌合し、コ字型挟持駒の先端に設けた取付孔にネジを挿通し、このネジを同時に本体の端部の支持孔に挿通し、そのネジの先端に螺合するナットで本体の端部とコ字型挟持駒を締め付け、本体の端部にスポークを固着してなる本体の片側を保持する自転車用点滅スポークリフレクターの取付け装置。
【請求項５】
本体の端部の下部に、下方に突出する取付台板部を形成し、この取付台板部にＬ型掛合腕片を、その入口を反対向きにして形成すると共に、Ｌ型掛合腕片の先端に取付台板部と対向して締付用孔を開口し、この締付用孔に挿通するネジを取付台板部とに差し渡してＬ型掛合腕片の内側に掛合するスポークを締め付け固着してなる本体の片側を保持する自転車用点滅スポークリフレクターの取付け装置。
【請求項６】
本体の一端の下部に、互いに平行して下方に突出する表側取付台板部と裏側取付台板部を形成し、その表側取付台板部に所要形状の孔縁の嵌入孔と、その嵌入孔の孔縁に開口する係合溝を貫通して設け、この表側取付台板部の嵌入孔の孔縁に適合した外形の底座部と、この底座部に基端を接続し、前記係合溝に適合して係合する形状の連係軸部と、この連係軸部の先端に接続する掛止爪部を具えたスポーク掛止駒を前記本体成型部材とは相違する部材で成型し、このスポーク掛止駒を前記表側取付台板部の嵌入孔に、その底座部を表側より嵌合し、連係軸部を係合溝に嵌着してなるスポーク掛止駒なる本体の片側を保持する自転車用点滅スポークリフレクターの取付け装置。
【請求項７】
本体の一端の下部に、互いに平行して下方に突出する表側取付台板部と裏側取付台板部を形成し、その表側取付台板部の内面に開口し、かつ中心側から反対方向の端部に向けて嵌合可能の係合溝と、表側に挿入可能の開口溝を連通してスライド係合溝部を設け、裏側取付台板部には、前記表側取付台板部のスライド係合溝部の開口溝に対応し、裏側取付台板部を貫通する長孔部と、この長孔部にそってナットをスライド自在に嵌合規制する凹陥部を裏側取付台板部の外面に形成し、前記本体とは、別材で底座部と、Ｌ型掛合挟持片部を形成したスポーク掛止挟持駒を設け、このスポーク掛止挟持駒を前記表側取付台板部のスライド係合溝部に底座部を本体の中心側から嵌合してセットした後、ネジをスポーク掛止挟持駒のＬ型掛合挟持片部のネジ挿通孔に外方から挿通し、表側取付台板部のスライド係合溝部の開口溝、スポーク掛止挟持駒の底座部の開口および裏側取付台板部の長孔部を挿通し、ネジの先端を裏側取付台板部の外面に配備したナットに到達させて、これに螺合してスポーク掛止挟持駒のＬ型掛合挟持片部の内側に掛合したスポークをスポーク掛止挟持駒と、表側取付台板部および裏側取付台板部をネジで締付けて固着保持してなる本体の片側を保持する自転車用点滅スポークリフレクターの取付け装置。
【請求項８】
本体は、互いに腹合わせされる半割体から構成し、その半割体の端部の内面を凹陥させて凹陥面部に形成し、その凹陥面部間をスポークの嵌入挟持部に構成すると共に、凹陥面部の端部よりに取付孔を開口し、一方の取付孔に樹脂ナットを嵌合し、他方の取付孔にネジを嵌合し、両者を食付き螺合して締付け、嵌入挟持部の内側に掛合したスポークを挟持して固着してなる本体の片側を保持する自転車用点滅スポークリフレクターの取付け装置。
【請求項９】
本体の一端に、その端面と上下面に開口するスポーク掛合溝を設け 、このスポーク掛合溝の端面出口側内面にバネ板を収容する収容凹陥部を対設し、本体の端部の上面と内部の収容凹陥部を連通する導入溝を設け、スポークを本体のスポーク掛合溝に嵌入した後、バネ板を導入溝より内方に押し込んでスポーク掛合溝の出口を閉鎖すると共に、バネ板を湾曲してスポークをスポーク掛合溝の溝底に押し付け、かつ上下端を収容凹陥部に係合して収容してなる本体の片側を保持する自転車用点滅スポークリフレクターの取付け装置。
【請求項１０】
本体の一端の端部の一側面に端部方向に所要長さのラック面を設け、このラック面と同じピッチのラック面を底面に形成した挟持駒にスポーク嵌入部を形成し、スポーク嵌入部にスポークを嵌入した後、この挟持駒と、本体の一端の端部の他方側面に連接するネジ受けとにネジを差し渡し、挟持駒のラック面を本体のラック面に噛合した状態でネジを締め付けてスポークをスポーク取付部に固着してなる本体の片側を保持する自転車用点滅スポークリフレクターの取付け装置。
【発明の詳細な説明】
【０００１】
【発明が属する技術分野】
この発明は、夜間の走行において、自動的に発光ダイオードを点滅させ、また、照射光を反射し、安全走行が行える自転車用点滅スポークリフレクターの取付け装置に関するものである。
【０００２】
【従来の技術】
従来、自転車車輪のスポークに発光体を装備させる取付け装置の考案は、発光体の提案と共に、数多く提案されている。例えば、実開昭４９−３１３８６号公報では、筐体の周側外面に、車輪のスポークの一本と対応して両側から挟持する一対の取付けバネ片を配備し、その内面に突設した押圧子をスポークの外周に圧接し挟持して取付けるものがある。また実開昭５１−１５４１７９号公開公報では、スポークを挟持する湾曲バネ片を上下に対設するものが提案されている。さらに、特開平１１−７９０２５号公報では、対応する２本のスポークに外側から引掛ける鉤状係合片を両端部に設けているものが提案されている。
【０００３】
【発明が解決しようとする課題】
前記実開昭４９−３１３８６号公報では、筐体の周側外面に、車輪のスポークの一本と対応して両側から挟持する一対の取付けバネ片を配備し、その内面に突設した押圧子をスポークの外周に圧接し挟持して取付けるものでは、一本のスポークに取付けるものであるから、スポークを中心に回転移動する恐れがある。また一本のスポークであると、滑り易く、車輪の回転時には、遠心力でリム側へ移動し、また車輪が停止している時には、重力作用で低位側に移動する恐れがあるものである。前記実開昭５１−１５４１７９号公開公報でも、一本のスポークを上下に対設した湾曲バネ片により挟持するものであるから、前記と同様の欠点がある。特開平１１−７９０２５号公報では、両端部に設けた鉤状係合片を対応する２本のスポークに外側から引掛けるものであるが、対応する２本のスポークは、その幅が車軸中心に収斂する関係で狭く、リム側では広く構成されるので、停止時に幅の狭い中心側に滑り落ち、常に所要位置に固定できない欠点がある。
【０００４】
この発明の自転車用点滅スポークリフレクターの取付け装置は、かかる従来の発光体の取付け装置の欠点を改善し、スポークの定位置に堅固に固着し、所定位置で発光ダイオードを点滅させ、また、照射光を所定位置で反射して視認性を飛躍的に高め、自転車乗車者の交通安全を図ることを目的になされたものである。
【０００５】
【課題を解決するための手段】
本体の一端の端部の上下中間に、端面方向に開口する導入溝を形成し、その上下の端部に、一方の係合壁が互いに１８０度齟齬して端面方向に突出形成し、かつその内面に、側方に開口する係合溝を夫々設けてなる本体の片側を保持する自転車用点滅スポークリフレクターの取付け装置にある。
【０００６】
本体の端部の端面または側面に開口し、スポークを嵌合する係合溝を上下に形成し、その係合溝の一方の側壁面を構成する側壁部を端部方向に延設形成し、その側面を前記係合溝を閉鎖する押え片の係合溝閉鎖面部と当接する閉鎖支承面部に形成してなる本体の片側を保持する自転車用点滅スポークリフレクターの取付け装置としてもよいものである。
【０００７】
閉鎖支承面部の内側で、かつ係合溝の中間に押え片を取付ける取付台面部を形成し、この取付台面部に貫通する取付孔と、押え片に貫通する取付孔にネジを挿通し、ネジの先端にナットを螺合して押え片を本体の取付台面部に当てて締め付け、押え片に形成された前記係合溝閉鎖面部を前記本体の閉鎖支承面部に連接して、対応面で係合溝を閉鎖し、嵌合したスポークと圧接し、全体を固着してなる本体の片側を保持する自転車用点滅スポークリフレクターの取付け装置としてもよいものである。
【０００８】
本体の端部の一側面に、その一側支承面と天井支承面と中心側支承面とから構成される三方囲ぎょう壁に、一側面と上面と基端背面を連接するコ字型挟持駒の基端内側にスポークを嵌合し、コ字型挟持駒の先端に設けた取付孔にネジを挿通し、このネジを同時に本体の端部の支持孔に挿通し、そのネジの先端に螺合するナットで本体の端部とコ字型挟持駒を締め付け、本体の端部にスポークを固着してなる本体の片側を保持する自転車用点滅スポークリフレクターの取付け装置としてもよいものである。
【０００９】
本体の端部の下部に、下方に突出する取付台板部を形成し、この取付台板部にＬ型掛合腕片を、その入口を反対向きにして形成すると共に、Ｌ型掛合腕片の先端に取付台板部と対向して締付用孔を開口し、この締付用孔に挿通するネジを取付台板部とに差し渡してＬ型掛合腕片の内側に掛合するスポークを締め付け固着してなる本体の片側を保持する自転車用点滅スポークリフレクターの取付け装置としてもよいものである。
【００１０】
本体の一端の下部に、互いに平行して下方に突出する表側取付台板部と裏側取付台板部を形成し、その表側取付台板部に所要形状の孔縁の嵌入孔と、その嵌入孔の孔縁に開口する係合溝を貫通して設け、この表側取付台板部の嵌入孔の孔縁に適合した外形の底座部と、この底座部に基端を接続し、前記係合溝に適合して係合する形状の連係軸部と、この連係軸部の先端に接続する掛止爪部を具えたスポーク掛止駒を前記本体成型部材とは相違する部材で成型し、このスポーク掛止駒を前記表側取付台板部の嵌入孔に、その底座部を表側より嵌合し、連係軸部を係合溝に嵌着してなるスポーク掛止駒なる本体の片側を保持する自転車用点滅スポークリフレクターの取付け装置としてもよいものである。
【００１１】
本体の一端の下部に、互いに平行して下方に突出する表側取付台板部と裏側取付台板部を形成し、その表側取付台板部の内面に開口し、かつ中心側から反対方向の端部に向けて嵌合可能の係合溝と、表側に挿入可能の開口溝を連通してスライド係合溝部を設け、裏側取付台板部には、前記表側取付台板部のスライド係合溝部の開口溝に対応し、裏側取付台板部を貫通する長孔部と、この長孔部にそってナットをスライド自在に嵌合規制する凹陥部を裏側取付台板部の外面に形成し、前記本体とは、別材で底座部と、Ｌ型掛合挟持片部を形成したスポーク掛止挟持駒を設け、このスポーク掛止挟持駒を前記表側取付台板部のスライド係合溝部に底座部を本体の中心側から嵌合してセットした後、ネジをスポーク掛止挟持駒のＬ型掛合挟持片部のネジ挿通孔に外方から挿通し、表側取付台板部のスライド係合溝部の開口溝、スポーク掛止挟持駒の底座部の開口および裏側取付台板部の長孔部を挿通し、ネジの先端を裏側取付台板部の外面に配備したナットに到達させて、これに螺合してスポーク掛止挟持駒のＬ型掛合挟持片部の内側に掛合したスポークをスポーク掛止挟持駒と、表側取付台板部および裏側取付台板部をネジで締付けて固着保持してなる本体の片側を保持する自転車用点滅スポークリフレクターの取付け装置としてもよいものである。
【００１２】
本体は、互いに腹合わせされる半割体から構成し、その半割体の端部の内面を凹陥させて凹陥面部に形成し、その凹陥面部間をスポークの嵌入挟持部に構成すると共に、凹陥面部の端部よりに取付孔を開口し、一方の取付孔に樹脂ナットを嵌合し、他方の取付孔にネジを嵌合し、両者を食付き螺合して締付け、嵌入挟持部の内側に掛合したスポークを挟持して固着してなる本体の片側を保持する自転車用点滅スポークリフレクターの取付け装置としてもよいものである。
【００１３】
本体の一端に、その端面と上下面に開口するスポーク掛合溝を設け、このスポーク掛合溝の端面出口側内面にバネ板を収容する収容凹陥部を対設し、本体の端部の上面と内部の収容凹陥部を連通する導入溝を設け、スポークを本体のスポーク掛合溝に嵌入した後、バネ板を導入溝より内方に押し込んでスポーク掛合溝の出口を閉鎖すると共に、バネ板を湾曲してスポークをスポーク掛合溝の溝底に押し付け、かつ上下端を収容凹陥部に係合して収容してなる本体の片側を保持する自転車用点滅スポークリフレクターの取付け装置としてもよいものである。
【００１４】
本体の一端の端部の一側面に端部方向に所要長さのラック面を設け、このラック面と同じピッチのラック面を底面に形成した挟持駒にスポーク嵌入部を形成し、スポーク嵌入部にスポークを嵌入した後、この挟持駒と、本体の一端の端部の他方側面に連接するネジ受けとにネジを差し渡し、挟持駒のラック面を本体のラック面に噛合した状態でネジを締め付けてスポークをスポーク取付部に固着してなる本体の片側を保持する自転車用点滅スポークリフレクターの取付け装置としてもよいものである。
【００１５】
【発明の実施の形態】
本体の一端のスポーク取付部は、本体の一端の端部の上下中間に、端面方向に開口する導入溝を形成し、その上下の端部に、一方の係合壁が互いに１８０度齟齬して端面方向に突出形成し、かつその内面に、側方に開口する係合溝を夫々設け、本体の反対端のスポーク取付部は、本体の端部に端面に開口し、スポークを嵌合する係合溝を上下に形成し、その係合溝の一方の側壁面を構成する側壁部を端部方向に延設形成し、その内側面を前記係合溝を閉鎖する押え片の係合溝閉鎖面部と当接する閉鎖支承面部に形成し、さらに、その閉鎖支承面部側の内側で、かつ係合溝の中間に押え片を取付ける取付台面部を形成し、この取付台面部に貫通する取付孔と、押え片に貫通する取付孔にネジを挿通し、ネジの先端にナットを螺合して押え片を本体の取付台面部に当てて締め付け、押え片に形成された前記係合溝閉鎖面部を前記本体の閉鎖支承面部に連接して、対応面で係合溝を閉鎖し、内側に形成したスポーク圧接面部を嵌合したスポークと圧接し、全体を固着し、本体の他方側を保持してなる自転車用点滅スポークリフレクターの取付け装置。
【００１６】
【実施例】
以下、この発明の自転車用点滅スポークリフレクターの取付け装置を、図面に示す第１実施例〜第６実施例について、以下に説明すると、図面の図１〜図１１は、一部変形例を含めて第１実施例を示し、図１２〜図１３は第２実施例を示し、図１４〜図１６は第３実施例を示し、図１７〜図２０は第４実施例を示し、図２１〜図２２は第５実施例を示し、図２３〜図２４は第６実施例を示すものである。
【００１７】
始めに、その第１実施例を説明するが、その前提として、第１実施例の自転車用点滅スポークリフレクター１について概括的に説明すると、自転車用点滅スポークリフレクター本体（以下単に本体という）の一端のスポーク取付部２と他方端のスポーク取付部３を有し、その本体の両側面に照射光を照射方向に反射する反射面部４、５と、発光ダイオード点滅発光面部６、７を所要に区画して有し、自転車車輪の対応するスポーク８、８に差し渡して取付け、車輪と共に回転自在に配備するものである。
【００１８】
前記本体における発光ダイオード点滅発光面部６、７の内側に構成した空洞部９に基板１０を配置し、この基板１０上に発光ダイオード１１と、発光ダイオード１２を車輪の径方向に所要に離隔して配置し、同じく基板１０上に配置した振動センサー１３と明暗センサー１４により所要秒間、交互に起動点灯する点滅ＩＣ電源回路１５と接続している。
【００１９】
前記基板１０は、前記のように、発光ダイオード点滅発光面部６、７の内側に構成した空洞部９に配置するが、この空洞部９の片側を本体に開口し、図３および図４に示すように、この本体の空洞部９の開口を閉鎖する蓋板１６の内面に発光ダイオード１１と、発光ダイオード１２を車輪の径方向に所要に離隔して配置してもよいものである。蓋板１６を本体から外すことにより、内部に収容する電池１７を容易に交換できるものである。前記発光ダイオード１１は赤色に、前記発光ダイオード１２は緑色に夫々発光する。以下、第２実施例の発光ダイオードの色においても補色に発光すること同様である。
【００２０】
次に、自転車用点滅スポークリフレクターの取付け装置の第１実施例を図１〜図１１により説明すると、前記本体の一端のスポーク取付部２は、図１〜図３に示すように、本体の一端の端部の上下中間に、端面方向に開口する導入溝２ａを形成し、その上下の端部に、一方の係合壁が互いに１８０度齟齬して端面方向に突出形成し、かつその内面に、側方に開口する係合溝２ｂ、２ｃを夫々設けている。この係合溝２ｂ、２ｃは、図５および図６に示すように、本体を構成する半割体１ａ、１ｂに夫々形成し、この半割体１ａ、１ｂを腹合わせにすることにより設けてもよいものである。
【００２１】
本体の一端のスポーク取付部２は、前記のように構成されるから、本体を両側面が水平となる姿勢で、その導入溝２ａを対面するスポーク８に嵌合した後、本体を９０度回転して係合溝２ｂ、２ｃにスポーク８を係合し、本体の片側を保持するものである。
【００２２】
本体の反対端のスポーク取付部３は、本体の端部に端面に開口し、スポーク８を嵌合する係合溝３ａ１を上下に形成し、その係合溝３ａ１の一方の側壁面を構成する側壁部３ａ２を端部方向に延設形成し、その内側面を前記係合溝３ａ１を閉鎖する押え片３ｂの係合溝閉鎖面部３ｂ１と当接する閉鎖支承面部３ａ３に形成し、さらに、その閉鎖支承面部３ａ３側の内側で、かつ係合溝３ａ１の中間に押え片３ｂを取り付ける取付台面部３ａ４を形成し、この取付台面部３ａ４に貫通する取付孔３ａ５と、押え片３ｂに貫通する取付孔３ｂ２にネジ１８を挿通し、ネジ１８の先端にナット１９を螺合して押え片３ｂを本体の取付台面部３ａ４に当てて締め付け、押え片３ｂに形成された前記係合溝閉鎖面部３ｂ１を前記本体の閉鎖支承面部３ａ３に連接して、対応面で係合溝３ａ１を閉鎖し、内側に、例えば、形成したスポーク圧接面部３ｂ３を嵌合したスポーク８と圧接し、全体を固着し、本体の他方側を保持するものである。
【００２３】
前記本体の反対端のスポーク取付部３は、図１０および図１１に示すように、本体の反対端の端部に端面に開口し、スポーク８を嵌合する係合溝３ｃ１を上下に形成し、その係合溝３ｃ１の一方の側壁面を構成する側壁部３ｃ２を端部方向に延設形成し、その内側を係合溝３ｃ１を閉鎖する閉鎖面部３ｄ１を具えた押え片３ｄの支承面部兼取付台面部３ｃ３に形成し、さらに、前記係合溝３ｃ１の他方の側壁面を構成する側壁部３ｃ４の中間に端面に開口するマーク溝３ｃ５を形成し、このマーク溝３ｃ５に嵌入する突出部３ｄ２と、係合溝３ｃ１に嵌入してその先面を係合溝３ｃ１に嵌入したスポーク８に当接する突条部３ｄ３を前記閉鎖面部３ｄ１に形成し、その支承面部兼取付台面部３ｃ３に貫通する取付孔３ｃ６と、押え片３ｄに貫通する取付孔３ｄ４に前記ネジ１８を挿通し、ネジ１８の先端に図示しないが、ナット１９を螺合して押え片３ｄを本体の支承面部兼取付台面部３ｃ３に当てて締め付け、押え片３ｄに形成された閉鎖面部３ｄ１の突出部３ｄ２を前記本体のマーク溝３ｃ５に嵌入して押え片３ｄの位置決めとずれ止めをなし、また、同じく、押え片３ｄに形成された閉鎖面部３ｄ１の突条部３ｄ３を前記本体の係合溝３ｃ１に嵌入して、係合溝３ｃ１を閉鎖し、内側に嵌合したスポーク８と圧接固着し、本体の他方側を保持するようにしてもよいのである。
【００２４】
上記自転車用点滅スポークリフレクター１の取付け装置の第１実施例は、スポーク取付部２とスポーク取付部３から構成されて、そのスポーク取付部２は、導入溝２ａを中間に開口面１８０度齟齬する係合溝２ｂ、２ｃを設け、対応するスポーク８が嵌入させるので、極めて容易に嵌入させることができ、またスポーク８と対向して端部方向への動揺がなく、堅牢に支持できるものである。また反対端のスポーク取付部３は、本体の端部の側面に、スポーク８を嵌合する係合溝３ａ１が形成され、その係合溝３ａ１を閉鎖する押え片３ｂの取付台面部３ａ４と、閉鎖支承面部３ａ３とが形成され、取付台面部３ａ４に貫通される取付孔３ａ５にネジ１８が挿通されて、これにナット１９が螺合されて、押え片３ｂが本体の取付台面部３ａ４に締め付けられるので、その間にスポーク８を締め付けているので、スポーク８と一体化して固持されるものである。
【００２５】
また、第１実施例の変形例では、押え片３ｄに形成された閉鎖面部３ｄ１の突出部３ｄ２を前記本体のマーク溝３ｃ５に嵌入して押え片３ｄの位置決めとずれ止めが為されるので、スポーク８にこの自転車用点滅スポークリフレクター１の取り付けにおいて、押え片３ｄの位置合わせが容易に行え、また激しい振動によりずれることがなく、押え片３ｄの緩みが出ない効果を奏するものである。さらに、押え片３ｄに形成された閉鎖面部３ｄ１の突条部３ｄ３が前記本体の係合溝３ｃ１に嵌入されて、係合溝３ｃ１を閉鎖し、内側に嵌合したスポーク８と圧接し、強固に固着し、本体の他方側を堅牢に保持する効果があるのものである。
【００２６】
次に、自転車用点滅スポークリフレクターの取付け装置の第２実施例を図１２〜図１３により説明すると、その第２実施例の自転車用点滅スポークリフレクター２０は、本体の一端のスポーク取付部２１と、本体の反対端のスポーク取付部２２から構成されて、その本体の一端のスポーク取付部２１は、内面に外止め隆起部２１ａが対面する二股の掛合片部２１ｂ、２１ｂから構成し、反対端のスポーク取付部２２は、本体の反対端側一側面に、その一側支承面２３ａと天井支承面２３ｂと、中心側支承面２３ｃとから構成される三方囲ぎょう壁２３に一側面と上面と基端背面を連接するコ字型挟持駒２４の基端内側にスポーク８を嵌合し、コ字型挟持駒２４の先端に設けた取付孔２５にネジ１８を挿通し、このネジ１８を同時に本体の反対端の支持孔２６に挿通し、そのネジ１８の先端に螺合するナット１９で本体の反対端とコ字型挟持駒２４を締め付け、本体の反対端にスポーク８を固着してなるものである。なお、この第２実施例の自転車用点滅スポークリフレクター２０は、前記第１実施例の自転車用点滅スポークリフレクター１と同様に、その一側面には反射面部４と、発光ダイオード点滅発光面部６を具え、発光ダイオード点滅発光面部６には発光ダイオード１１と、発光ダイオード１２を具えるものである。他方の側面も同様である。
【００２７】
この第２実施例の自転車用点滅スポークリフレクターの取付け装置２０は、以上のように構成されるから、本体の反対端のスポーク８を固着するコ字型挟持駒２４は、本体の反対端側一側面に構成された三方囲ぎょう壁２３に一側面と上面と中心側面を連接するから、ネジ１８とナット１９で両側から締付けるだけの簡単な構成で、対応するスポーク８と固着し、第２実施例の自転車用点滅スポークリフレクター２０を簡易・堅固に固着することができるものである。
【００２８】
次に、自転車用点滅スポークリフレクターの取付け装置の第３実施例を図１４〜図１６により説明すると、この第３実施例の自転車用点滅スポークリフレクター３６は、前記第１実施例の自転車用点滅スポークリフレクター１と同様に、その一側面には反射面部４と、発光ダイオード点滅発光面部６を具え、発光ダイオード点滅発光面部６には発光ダイオード１１と、発光ダイオード１２を具えるものである。他方の側面も同様である。以下の実施例においても同様である。この第３実施例の自転車用点滅スポークリフレクター３６は、本体の一端にスポーク取付部３７を具えるものであり、そのスポーク取付部３７は、本体の一端の下部に、互いに平行して下方に突出する表側取付台板部３８と裏側取付台板部３９を形成し、その表側取付台板部３８に所要形状の孔縁の嵌入孔４０と、その嵌入孔４０の孔縁に開口する係合溝４１を貫通して設け、この表側取付台板部３８の嵌入孔４０の孔縁に適合した外形の底座部４２ａと、この底座部４２ａに基端を接続し、前記係合溝４１に適合して係合する形状の連係軸部４２ｂと、この連係軸部４２ｂの先端に接続する掛止爪部４２ｃを具えたスポーク掛止駒４２を前記本体成型部材とは相違する部材で成型し、このスポーク掛止駒４２を前記表側取付台板部３８の嵌入孔４０に、その底座部４２ａを表側より嵌合し、このとき、嵌入孔４０の孔縁の形状が、図示のように、端部側と中心側とで相違する形状である場合には、掛止爪部４２ｃの先端を中心側に向けた状態で嵌合し、その嵌入孔４０を通過したところで、スポーク掛止駒４２の全体を１８０度回転し、その掛止爪部４２ｃの先端を端部方向に向け、さらに、嵌入孔４０の孔縁に開口する係合溝４１に、その連係軸部４２ｂを嵌合し、中心側の奥に当たるまでスライドさせて嵌着するものである。スポーク掛止駒４２の底座部４２ａの底面は、裏側取付台板部３９の内面に連接するので、軸方向が規制されて支持される。かくして、スポーク掛止駒４２は、ワンタッチ回転で掛止爪部４２ｃを端部方向にセットできる。
【００２９】
次に、本体の反対端にスポーク取付部４３を具えるものであり、このスポーク取付部４３は、前記本体の一端の下部に、互いに平行して下方に突出する表側取付台板部３８と裏側取付台板部３９と同様に、表側取付台板部４４と裏側取付台板部４５を形成し、その表側取付台板部４４の内面に開口し、かつ中心側から反対方向の端部に向けて嵌合可能の係合溝４６ａと、表側に挿入可能の開口溝４６ｂを連通してスライド係合溝部４６を設け、裏側取付台板部４５には、前記表側取付台板部４４のスライド係合溝部４６の開口溝４６ｂに対応し、裏側取付台板部４５を貫通する長孔部４７ａと、この長孔部４７ａにそってナット１９をスライド自在に嵌合規制する凹陥部４７ｂを裏側取付台板部４５の外面に形成している。前記本体とは、別材で底座部４８ａと、Ｌ型掛合挟持片部４８ｂを形成したスポーク掛止挟持駒４８を設け、このスポーク掛止挟持駒４８を前記表側取付台板部４４のスライド係合溝部４６に底座部４８ａを本体の中心側から嵌合してセットした後、ネジ１８をスポーク掛止挟持駒４８のＬ型掛合挟持片部４８ｂのネジ挿通孔４８ｃに外方から挿通し、表側取付台板部４４のスライド係合溝部４６の開口溝４６ｂ、スポーク掛止挟持駒４８の底座部４８ａの開口４８ｄおよび裏側取付台板部４５の長孔部４７ａを挿通し、ネジ１８の先端を裏側取付台板部４５の外面に配備したナット１９に到達させて、これに螺合してスポーク掛止挟持駒４８のＬ型掛合挟持片部４８ｂの内側に掛合したスポーク８をスポーク掛止挟持駒４８と、表側取付台板部４４および裏側取付台板部４５をネジ１８で締付けて固着保持するものである。
【００３０】
この第３実施例のスポーク掛止駒４２およびスポーク掛止挾持駒４８は、本体部材とは異なる別材で構成できるから、本体を透光性の良好な部材を用いると、強度、弾性とも性能について最良のものを選択できないが、この部分を別材で構成することにより選択の範囲が拡大し、強度、弾性等に優れた部材を自由に使用することができるものである。また、スポーク掛止駒４２は、取付けが簡単で、スポークとの掛合維持性に優れており、またスポーク掛止挾持駒４８は、車輪径の大小により相違するスポーク間隔に対応し、強固な掛合挟持性能を発揮するものである。
【００３１】
次に、自転車用点滅スポークリフレクターの取付け装置の第４実施例を図１７〜図２０により説明すると、その第４実施例の自転車用点滅スポークリフレクター４９は、本体の両端部にスポーク取付部５０を設けたもので、本体は、第１実施例と同様に半割体４９ａ、４９ｂから構成し、その半割体４９ａ、４９ｂの両端部を内面を凹陥させて凹陥面部５１ａ、５１ｂに形成し、その凹陥面部５１ａ、５１ｂによって構成される空隙をスポーク８の嵌入挟持部５２に構成すると共に、凹陥面部５１ａ、５１ｂの端部よりに取付孔５３ａ、５３ｂを開口してなるのもで、例えば、その一方の取付孔５３ａに樹脂ナット５４を嵌合し、他方の取付孔５３ｂにネジ５５を嵌合し、両者を食付き螺合して締付け、嵌入挟持部５２の内側に掛合したスポーク８を挟持して固着するものである。図１９および図２０に示す実施例の樹脂ナット５６は、前記樹脂ナット５４の変形例であり、頭部にスポーク挿通孔５６ａを具え、スポーク８を挿通した後、本体に構成された取付孔５７に嵌合し反対側からネジ５５のネジ部５５ａを螺合し、樹脂ナット５６の対設する拡開軸部片５６ｂ、５６ｂを拡開して取付孔５７に圧接固着するものである。
【００３２】
次に、自転車用点滅スポークリフレクターの取付け装置の第５実施例を図２１〜図２２により説明すると、その第５実施例の自転車用点滅スポークリフレクター６３は、本体の一端にスポーク取付部６４を具えるものであり、そのスポーク取付部６４は本体の一端に、その端面と上下面に開口するスポーク掛合溝６５を設け、このスポーク掛合溝６５の端面出口側内面にバネ板６６を収容する凹陥部６７ａ、６７ｂを対設し、本体の端部の上面と内部の凹陥部６７ａ、６７ｂを連通する導入溝６８ａ、６８ｂを設け、スポーク８を本体のスポーク掛合溝６５に嵌入した後、バネ板６６を導入溝６８ａ、６８ｂより内方に押し込んでスポーク掛合溝６５の出口を閉鎖すると共に、バネ板６６を湾曲してスポーク８をスポーク掛合溝６５の溝底に押し付け、かつ上下端を収容凹陥部６７ａ、６７ｂに係合して収容してなるものである。
【００３３】
第５実施例の自転車用点滅スポークリフレクター６３のスポーク取付部６４は、上記にように構成されるから、スポーク８はスポーク掛合溝６５の溝底に常時押し付けられて、第５実施例の自転車用点滅スポークリフレクター６３の全体が動揺することがなく、また一度、第７実施例の自転車用点滅スポークリフレクター６３を取付けた後は、全体を破壊しないかぎり外れることがなく、振動に強く、耐久性に富むものである。
【００３４】
次に、自転車用点滅スポークリフレクターの取付け装置の第６実施例を図２３および図２４により説明すると、その第６実施例の自転車用点滅スポークリフレクター６９は、本体の一端にスポーク取付部７０を具えるものであり、そのスポーク取付部７０は、本体の一端の端部の一側面に端部方向に所要長さのラック面７１を設け、このラック面７１と同じピッチのラック面７２を底面に形成した挟持駒７３にスポーク嵌入部７４を形成し、スポーク嵌入部７４にスポーク８を嵌入した後、この挟持駒７３と、本体の一端の端部の他方側面に連接するネジ受け７５とにネジ７６を差し渡し、挟持駒７３のラック面７２を本体のラック面７１に噛合した状態でネジ７６を締め付けてスポーク８をスポーク取付部７０に固着するものである。図示の実施例では、ラック面７１にネジ７６を通す長孔７７が本体に開口し、またラック面７１が本体の側面より凹陥した底面に設け、窓口に構成し、挟持駒７３を左右にスライドしてスポーク８の間隔に調整しやすい構造に構成している。本体の反対端の端部にスポーク取付部７８を具えるものであり、スポーク取付部７８は、例えば、前記第２実施例の自転車用点滅スポークリフレクター２０のスポーク取付部２１と同様の構造のものが配備される。
【００３５】
第６実施例の自転車用点滅スポークリフレクター６９のスポーク取付部７０は、上記のように構成されるから、挟持駒７３スライドさせることにより車輪径の相違により生じるスポーク間隔の変動に対応することができ、また調整範囲が広いので車輪径がことなっても、常に車軸中心から同じ距離に自転車用点滅スポークリフレクターの取付けを行うことができ、交通安全面から考えた取付け位置に配備することができるものである。
【００３６】
【発明の効果】
この発明の自転車用点滅スポークリフレクターの取付け装置は、以上のようになるから、透光性に優れた部材を使用し、内部の発光ダイオードの光を外部に光を効率よく通して視認性に優れた点滅発光器と反射性に優れたスポークリフレクターを提供することができるものである。
また、スポークへの取付性と、スポークの保持性と、耐久性に優れた自転車用点滅スポークリフレクターを提供することができるものである。
【図面の簡単な説明】
【図１】図面は、この発明の自転車用点滅スポークリフレクターにおける発光ダイオードの配置状況およびそのスポークへの取付け装置の第１実施例を示すもので、自転車車輪のスポークに取付けた状態における一方の側面図である。
【図２】同じく、第１実施例の他方側の側面図である。
【図３】同じく、図１のＡ−Ａ線に沿う断面図である。
【図４】同じく、発光ダイオードおよびその点滅電子電源回路を基板上に配備し、これを点滅スポークリフレクターの本体の凹陥部に取付け自在である蓋板に配置した実施例を示す平面図である。
【図５】同じく、その第１実施例の片側の取付け部におけるスポーク掛合部を示す分解断面図である。
【図６】同じく、そのスポーク掛合部の組立て状態の部分平面図である。
【図７】同じく、第１実施例の他側の押さえ駒による挟持取付け部において、その押さえ駒を外した状態の部分側面図である。
【図８】同じく、その押さえ駒を上方から内面側をみた斜視図である。
【図９】同じく、図１のＢ−Ｂ線に沿う部分断面図である。
【図１０】同じく、その押さえ駒に突出係合部を設けた変形実施例を示す分解斜視図である。
【図１１】同じく、その押さえ駒に突出係合部を設けた変形実施例を組立てた状態の部分平面図である。
【図１２】この発明の自転車用点滅スポークリフレクターに発光ダイオードの配置状況およびそのスポークへの取付け装置の第２実施例を示す側面図である。
【図１３】同じく、その片側のスポーク掛合部および挟持駒を示す斜視図である。
【図１４】この発明の自転車用点滅スポークリフレクターに発光ダイオードの配置状況およびそのスポークへの取付け装置の第３実施例を示す側面図である。
【図１５】同じく、その片側のスポーク掛合部および他方側の締付挟持部を断面で示す底面図である。
【図１６】同じく、その片側のスポーク掛合駒単体および他方側の締付挟持部の分解構成部材の斜視図である。
【図１７】この発明の自転車用点滅スポークリフレクターに発光ダイオードの配置状況およびそのスポークへの取付け装置の第４実施例を示す側面図である。
【図１８】同じく、その第４実施例のスポーク挟持部および挟持部材の組合せ例を示す説明断面図である。
【図１９】同じく、その第４実施例におけるスポーク挟持部および挟持部材の組合せ例の他例を示す説明断面図である。
【図２０】同じく、その他例の分解斜視図である。
【図２１】この発明の自転車用点滅スポークリフレクターのスポークへの取付け装置の第５実施例を示す側面図である。
【図２２】同じく、その取付け装置の一側方部側の分解斜視図である。
【図２３】この発明の自転車用点滅スポークリフレクターのスポークへの取付け装置の第６実施例を示す側面図である。
【図２４】同じく、その取付け装置の片側における掛合・挟持部構造および掛合・挟持部材の分解斜視図である。
【符号の説明】
１  第１実施例の自転車用点滅スポークリフレクター
１ａ  半割体
１ｂ  半割体
２  スポーク取付部
２ａ  導入溝
２ｂ  係合溝
２ｃ  係合溝
３  スポーク取付部
３ａ１  係合溝
３ａ２  側壁部
３ａ３  閉鎖支承面部
３ａ４  取付台面部
３ａ５  取付孔
３ｂ  押え片
３ｂ１  係合溝閉鎖面部
３ｂ２  取付孔
３ｂ３  スポーク圧接面部
３ｃ１  係合溝
３ｃ２  側壁部
３ｃ３  支承面部兼取付台面部
３ｃ４  側壁部
３ｃ５  マーク溝
３ｃ６  取付孔
３ｄ  押え片
３ｄ１  閉鎖面部
３ｄ２  突出部
３ｄ３  突条部
３ｄ４  取付孔
４  反射面部
５  反射面部
６  発光ダイオード点滅発光面部
７  発光ダイオード点滅発光面部
８  スポーク
９  空洞部
１０  基板
１１  発光ダイオード
１２  発光ダイオード
１３  振動センサー
１４  明暗センサー
１５  点滅ＩＣ電源回路
１６  蓋板
１７  電池
１８  ネジ
１９  ナット
２０  第２実施例の自転車用点滅スポークリフレクター
２１  スポーク取付部
２１ａ  外止め隆起部
２１ｂ  掛合片部
２２  スポーク取付部
２３  三方囲ぎょう壁
２３ａ  一側支承面
２３ｂ  天井支承面
２３ｃ  中心側支承面
２４  コ字型挟持駒
２５  取付孔
２６  支持孔
３６  第３実施例の自転車用点滅スポークリフレクター
３７  スポーク取付部
３８  表側取付台板部
３９  裏側取付台板部
４０  嵌入孔
４１  係合溝
４２  スポーク掛止駒
４２ａ  底座部
４２ｂ  連係軸部
４２ｃ  掛止爪部
４３  スポーク取付部
４４  表側取付台板部
４５  裏側取付台板部
４６  スライド係合溝部
４６ａ  係合溝
４６ｂ  開口溝
４７ａ  長孔部
４７ｂ  凹陥部
４８  スポーク掛止挟持駒
４８ａ  底座部
４８ｂ  Ｌ型掛合挟持片部
４８ｃ  ネジ挿通孔
４８ｄ  開口
４９  第４実施例の自転車用点滅スポークリフレクター
４９ａ  半割体
４９ｂ  半割体
５０  スポーク取付部
５１ａ  凹陥面部
５１ｂ  凹陥面部
５２  嵌入挟持部
５３ａ  取付孔
５３ｂ  取付孔
５４  樹脂ナット
５５  ネジ
５５ａ  ネジ部
５６  樹脂ナット
５６ａ  スポーク挿通孔
５６ｂ  拡開軸部片
５７  取付孔
６３  第５実施例の自転車用点滅スポークリフレクター
６４  スポーク取付部
６５  スポーク掛合溝
６６  バネ板
６７ａ  収容凹陥部
６７ｂ  収容凹陥部
６８ａ  導入溝
６８ｂ  導入溝
６９  第６実施例の自転車用点滅スポークリフレクター
７０  スポーク取付部
７１  ラック面
７２  ラック面
７３  挟持駒
７４  スポーク嵌入部
７５  ネジ受け
７６  ネジ
７７  長孔
７８  スポーク取付部
【図１】
0003567367.tif 000002
【図２】
0003567367.tif 000003
【図３】
0003567367.tif 000004
【図４】
0003567367.tif 000005
【図５】
0003567367.tif 000006
【図６】
0003567367.tif 000007
【図７】
0003567367.tif 000008
【図８】
0003567367.tif 000009
【図９】
0003567367.tif 000010
【図１０】
0003567367.tif 000011
【図１１】
0003567367.tif 000012
【図１２】
0003567367.tif 000013
【図１３】
0003567367.tif 000014
【図１４】
0003567367.tif 000015
【図１５】
0003567367.tif 000016
【図１６】
0003567367.tif 000017
【図１７】
0003567367.tif 000018
【図１８】
0003567367.tif 000019
【図１９】
0003567367.tif 000020
【図２０】
0003567367.tif 000021
【図２１】
0003567367.tif 000022
【図２２】
0003567367.tif 000023
【図２３】
0003567367.tif 000024
【図２４】
0003567367.tif 000025